(57)【特許請求の範囲】
【請求項１】
携帯端末１の背面部２に固着した嵌合部材３を、自動車内の運転席近傍の取付面４に固定した係止部材５に嵌合固定および取外し自在とする自動車内における携帯端末の係止装置であって、前記係止部材５は、硬質素材によりリング状の係止リング６を形成すると共に、該係止リング６は、その内周縁部に、前記係止リング６の肉厚の半分の厚さで、同一巾および長さの複数個の係止突起７を、上面が該係止リング６の上面と面一となるようにして同一間隔で突設し、且つ前記各係止突起７間に、該係止突起７よりやや広巾の凹部８をそれぞれ備え、且つ前記係止リング６を硬質素材により形成された取付基台９の前面に固定して、該取付基台９の前面と前記各係止突起７との間にリング状空隙部１０を備えて形成され、前記嵌合部材３は、硬質素材により、前記係止部材５の係止リング６の各係止突起７の内周縁部に摺接する径のリング状の嵌合リング１１を形成すると共に、該嵌合リング１１の外周縁部に、前記係止部材５の各凹部８に嵌挿できる巾および長さを有する複数個の嵌合突起１２と、前記係止部材５の各係止突起７に嵌挿できる巾および長さを有する複数個の凹部１３とを、該各嵌合突起１２の上面が前記嵌合リング１１の上面と面一になるよう設けて形成し、且つ前記各係止突起７のうちのいずれか１つの係止突起７ａの下面中央の取付基台９上にストッパー１５を突設する一方、前記携帯端末１の背面部２に固定された嵌合部材３の各嵌合突起１２を、前記係止部材５の各係止突起７間に設けられた各凹部８内に上方側から嵌挿し、左・右いずれかの方向へ回動させると、前記各嵌合突起１２のうちの嵌合突起１２ａ・１２ｂのいずれかが、前記取付基台９上に突設されたストッパー１５に当接して停止し、前記各嵌合突起１２はすべて各係止突起７の下面に摺接して、前記携帯端末１が前記係止部材５に係止固定される一方、前記携帯端末１の背面部２に固定された嵌合部材３を、前記とは逆方向へ回動させて、前記各嵌合突起１２のすべてを前記係止部材５の各凹部８内に位置せしめることにより、各嵌合突起１２の各係止突起７への摺接状態が解除され、携帯端末１を係止部材５から取外すことができるようにした自動車内における携帯端末の係止装置において、
前記係止部材５は、接着剤やその他の手段により後付けで前記取付面４に固定されると共に、前記嵌合部材３は、接着剤やその他の手段により後付けで携帯端末１の背面部２に固定される一方、前記嵌合部材３に軟質のシリコーンゴム等で形成されたキャップ１４を着脱自在に被冠固定できるようにしたことを特徴とする自動車内における携帯端末の係止装置。
【発明の詳細な説明】
【技術分野】
【０００１】
本発明は、自動車内において運転者がスマートフォンやタブレット等の携帯端末（以下、単に「携帯端末」という）に固定された嵌合部材を、自動車内の運転席近傍の取付面に固定された係止部材に係止することにより、携帯端末が簡単、確実に、且つ落下する虞れもなく係止装置に係止できると共に、係止装置からの取り外しも簡単にでき、更に、本発明装置の不使用時には、前記携帯端末の嵌合部材にキャップを被冠固定することにより携帯端末の外観上の見映えがよく、然も前記嵌合部材を携帯端末の背面部に、接着剤やその他の手段により後付けで固定すると共に、前記係止部材を自動車内の運転席近傍の取付面に、接着剤やその他の手段により後付けで、使用者の希望する所定位置に取付けることができる自動車内における携帯端末の係止装置に関するものである。
【背景技術】
【０００２】
従来は、自動車内の運転席近傍のフロントパネルやフロントウインドウに携帯端末を係止するために、吸盤タイプの係止具を吸着固定したり、あるいはエアコン吹出口の羽根板に係止具を止着して、前記係止具に携帯端末を係止していた。また、携帯端末を自動車内の運転席近傍に係止するという技術思想につき、先行特許文献を遡及検索したところ、下記の特許文献に示す「自動車の携帯電話機支持装置および電話装置」が公知である。
【先行技術文献】
【特許文献】
【０００３】
【特許文献１】実用新案登録第３０３６７１１号公報
【発明の概要】
【発明が解決しようとする課題】
【０００４】
前記従来実用に供されているフロントパネルやフロントウインドウに吸着固定する吸盤タイプの係止具では、経時と共に吸盤の吸着力が弱まり、前記係止具が落下してしまい、精密機器である携帯端末が故障したり、破損してしまうという課題があり、またエアコン吹出口の羽根板に止着された係止具に携帯端末を係止するタイプの係止具では、前記携帯端末を前記係止具から取外したり、係止する場合、力が入り過ぎると、前記羽根板を破損してしまうという課題があった。
【０００５】
また、前記特許文献１に記載された支持装置は、携帯電話機をその使用時には車体後方側へ向いた起立状となし、且つフロントウインドウ内方側へ張り出された状態に支持し、その不使用時にはフロントウインドウ外方側へ退避させた状態に支持するものであり、携帯電話機を前記支持装置に係止したり、取り外したりする場合、運転者が片手でその係止作業および取り外し作業ができないという課題があった。
【０００６】
本発明は、前記課題を解決すべくなされたものであって、例えば、自動車のフロントパネルあるいはフロントウインドウ等の運転席近傍の、使用者の希望する所定位置の取付面に、内周縁部に間隔を有して複数個の係止突起と凹部を交互に設けたリング状の係止部材を固着した取付基台を、接着剤やその他の手段により後付けで固定して、前記リング状の係止部材の各凹部に嵌合できる大きさの嵌合突起と、前記リング状の係止部材の各係止突起に嵌挿できる大きさの凹部を間隔を有して交互に設けてリング状の嵌合部材を形成すると共に、該嵌合部材を携帯端末の、使用者の希望する所定位置の背面部に、接着剤やその他の手段により後付けで固定する一方、前記嵌合部材に軟質のシリコーンゴム等で形成されたキャップを着脱可能に被冠固定できるようにし、更に前記携帯端末を、自動車の運転席近傍の取付面に固定された係止部材上に、前記嵌合部材を位置せしめた後、該嵌合部材を係止部材側へ押圧して、前記係止突起間の凹部に嵌合突起を嵌合し、然る後、前記嵌合部材を、左・右いずれかの方向へ僅かに回動させて、前記いずれか１つの嵌合突起をストッパーに当接して停止させることにより、前記各嵌合突起は前記各係合突起の下面に摺接して密着固定されて、携帯端末が離脱することなく係止固定され、また、携帯端末を前記係止部材から取外す場合は、前記嵌合部材を前記とは逆の方向へ僅かに回動させて、前記各嵌合突起の各係止突起への摺接密着状態を解除することにより、携帯端末を容易に取外すことができる自動車内における携帯端末の係止装置を提供しようとするものである。
【課題を解決するための手段】
【０００７】
本発明は、携帯端末１の背面部２に固着した嵌合部材３を、自動車内の運転席近傍の取付面４に固定した係止部材５に嵌合固定および取外し自在とする自動車内における携帯端末の係止装置であって、前記係止部材５は、硬質素材によりリング状の係止リング６を形成すると共に、該係止リング６は、その内周縁部に、前記係止リング６の肉厚の半分の厚さで、同一巾および長さの複数個の係止突起７を、上面が該係止リング６の上面と面一となるようにして同一間隔で突設し、且つ前記各係止突起７間に、該係止突起７よりやや広巾の凹部８をそれぞれ備え、且つ前記係止リング６を硬質素材により形成された取付基台９の前面に固定して、該取付基台９の前面と前記各係止突起７との間にリング状空隙部１０を備えて形成され、前記嵌合部材３は、硬質素材により、前記係止部材５の係止リング６の各係止突起７の内周縁部に摺接する径のリング状の嵌合リング１１を形成すると共に、該嵌合リング１１の外周縁部に、前記係止部材５の各凹部８に嵌挿できる巾および長さを有する複数個の嵌合突起１２と、前記係止部材５の各係止突起７に嵌挿できる巾および長さを有する複数個の凹部１３とを、該各嵌合突起１２の上面が前記嵌合リング１１の上面と面一になるよう設けて形成し、且つ前記各係止突起７のうちのいずれか１つの係止突起７ａの下面中央の取付基台９上にストッパー１５を突設する一方、前記携帯端末１の背面部２に固定された嵌合部材３の各嵌合突起１２を、前記係止部材５の各係止突起７間に設けられた各凹部８内に上方側から嵌挿し、左・右いずれかの方向へ回動させると、前記各嵌合突起１２のうちの嵌合突起１２ａ・１２ｂのいずれかが、前記取付基台９上に突設されたストッパー１５に当接して停止し、前記各嵌合突起１２はすべて各係止突起７の下面に摺接して、前記携帯端末１が前記係止部材５に係止固定される一方、前記携帯端末１の背面部２に固定された嵌合部材３を、前記とは逆方向へ回動させて、前記各嵌合突起１２のすべてを前記係止部材５の各凹部８内に位置せしめることにより、各嵌合突起１２の各係止突起７への摺接状態が解除され、携帯端末１を係止部材５から取外すことができるようにした自動車内における携帯端末の係止装置において、
前記係止部材５は、接着剤やその他の手段により後付けで前記取付面４に固定されると共に、前記嵌合部材３は、接着剤やその他の手段により後付けで携帯端末１の背面部２に固定される一方、前記嵌合部材３に軟質のシリコーンゴム等で形成されたキャップ１４を着脱自在に被冠固定できるようにするという手段を採用することにより、上記課題を解決した。
【発明の効果】
【０００８】
上記構成より成る本発明によれば、運転者が、自動車のフロントパネルあるいはフロントウインドウ等の運転席近傍の、使用者の希望する所定位置の取付面に、接着剤やその他の手段により後付けで固定された係止部材上に、携帯端末の、使用者の希望する所定位置の背面部に、接着剤やその他の手段により後付けで固定された嵌合部材を位置せしめた後、該嵌合部材を係止部材側へ押圧して、前記係止突起間の凹部に嵌合突起を嵌合し、然る後、前記嵌合部材を、左・右いずれかの方向へ僅かに回動させて、いずれかの嵌合突起がストッパーに当接して停止することにより、前記各嵌合突起は前記各係合突起の下面に摺接して密着固定されて、携帯端末が離脱することなく係止固定される。また、携帯端末を取外す場合は、前記嵌合部材を前記とは逆の方向へ僅かに回動させて、前記各嵌合突起の各係止突起への摺接密着状態を解除することにより、携帯端末を容易に取外すことができるという優れた効果を奏することができる。更に、運転者は、前記携帯端末の係止部材への係止固定および取外し作業は、いずれも片手操作で、迅速にできるという効果を奏することもできる。また更に、前記嵌合部材には、軟質のシリコーンゴム等で形成されたキャップを着脱自在に被冠固定できるので、該嵌合部材を係止部材に係止するときに、前記キャップを取り外して係止し、そして前記携帯端末を係止部材に係止しないときには、前記キャップを前記嵌合部材に被冠固定することにより、該嵌合部材が裸で露出することがない。
【図面の簡単な説明】
【０００９】
【図１】本発明自動車内における携帯端末の係止装置の係止部材を自動車のフロントパネルの取付面に固定し、該係止部材に嵌合部材を係止しようとする状態を示す斜視図である。
【図２】本発明自動車内における携帯端末の係止装置の係止部材の斜視図である。
【図３】本発明自動車内における携帯端末の係止装置の嵌合部材の斜視図である。
【図４】本発明自動車内における携帯端末の係止装置において、携帯端末を係止部材に係止しようとする状態を示す正面図である。
【図５】同概略縦断面図である。
【図６】本発明自動車内における携帯端末の係止装置において、携帯端末を係止部材に係止した状態を示す正面図である。
【図７】同概略縦断面図である。
【実施例】
【００１０】
本発明の実施例を図面に基づいて詳細に説明する。本発明装置は、携帯端末１の背面部２に、接着剤やその他の手段により後付けで固定した嵌合部材３を、自動車内の運転席近傍の取付面４に、接着剤やその他の手段により後付けで固定した係止部材５に嵌合固定することができる自動車内における携帯端末の係止装置であって、前記携帯端末１を運転席近傍において、係止部材５に片手操作で係止固定できると共に、前記係止部材５に係止固定された携帯端末１が、該係止部材５から離脱して落下する虞れもなく、更に、前記係止部材５からの携帯端末１の取外しも、片手操作で簡単にできる自動車内における携帯端末の係止装置である。以下、更に詳細に説明する。
【００１１】
前記自動車内の運転席近傍の、例えば、フロントパネルあるいはフロントウインドウ等の取付面４に、接着剤やその他の手段により後付けで固定される係止部材５は、金属や硬質合成樹脂等の硬質素材によりリング状の係止リング６を形成すると共に、該係止リング６は、その内周縁部に、前記係止リング６の肉厚の半分程度の厚さで、同一巾および長さの複数個の同一巾の係止突起７を、上面が該係止リング６の上面と面一となるようにして同一間隔で突設して、前記各係止突起７間に、該係止突起７よりやや広巾の凹部８をそれぞれ備えて形成され、更に、前記構成より成る係止リング６を、金属または硬質合成樹脂等の硬質素材により形成された取付基台９の上面に、接着剤やその他の手段により後付けで固定して、該取付基台９の上面と前記各係止突起７との間にリング状空隙部１０を備えて形成されている。なお、前記リング状空隙部１０の高さは、前記係止リング６の板厚の半分程度の厚さと同一高さとなる。
【００１２】
一方、前記係止部材５に嵌合係止される嵌合部材３は、携帯端末１の背面部に、接着剤やその他の手段により後付けで固定されるものであり、前記係止部材５と同様に、金属または硬質合成樹脂等の硬質素材により、該係止部材５の係止リング６の各係止突起７の内周縁部に摺接できる径のリング状の嵌合リング１１を形成すると共に、該嵌合リング１１の外周縁部に、前記係止部材５の係止リング６の内周縁部に設けられた各凹部８に嵌挿できる巾および長さを有する複数個の嵌合突起１２と、前記係止部材５の各係止突起７に嵌挿できる巾および長さを有する複数個の凹部１３とを、該各嵌合突起１２の上面が前記嵌合リング１１の上面と面一になるよう設けて形成されている。なお、前記嵌合突起１２の板厚は、前記係止部材５とのリング状空隙部１０に嵌合されて回動ができるような板厚に形成されている。
【００１３】
そして、本発明装置は、携帯端末１の背面部に固定された嵌合部材３の各嵌合突起１２を、前記係止部材５の各係止突起７間に設けられた各凹部８内に上方側から嵌挿した後、前記携帯端末１を持って、左・右いずれかの方向へ前記リング状空隙部１０内において前記嵌合部材３を回動させることにより、該各係止突起７の下面に前記各嵌合突起１２の上面が摺接して、前記係止部材５に嵌合部材３が密着固定され、携帯端末１が係止部材５に係止固定される。
【００１４】
更に、一旦前記のように係止部材５に係止固定された携帯端末１を前記係止部材５から取外す場合は、前記携帯端末１を持って、前記リング状空隙部１０内において、前記とは逆方向に嵌合部材３を回動して、前記各嵌合突起１２を係止部材５の各凹部８内に位置せしめて、嵌合部材３を手前側へ引くことにより取外すことができるよう構成されている。なお、前記携帯端末１の背面部２に嵌合部材３を固着すると、該嵌合部材３が裸で露出し、見映えが悪いので、図１に示すように、軟質のシリコーンゴム等で形成されたキャップ１４を被冠固定し、前記嵌合部材３を係止部材５に係止固定するときに、前記キャップ１４を取外すようにすることが好ましい。
【００１５】
前記のように、嵌合部材３の各嵌合突起１２を係止部材５の各係止突起７間の各凹部８内に嵌合した後、前記リング状空隙部１０内において、前記嵌合部材３を左・右いずれかの方へ回動させた後、該嵌合部材３の回動を正確に停止させる必要がある。
【００１６】
前記嵌合部材３の左・右いずれかの方向への各回動を停止するため、本発明装置においては、前記各係止突起７のうち、いずれか１つの係止突起７ａの下面中央の取付基台９上に、左・右いずれかの方向へ嵌合部材３を回動したとき、嵌合突起１２ａ・１２ｂのいずれかが当接して停止するストッパー１５を突設する一方、前記携帯端末１の背面部に固定された嵌合部材３の各嵌合突起１２を、前記係止部材５の各係止突起７間に設けられた各凹部８内に上方側から嵌挿し、左・右いずれかの方向へ回動させると、前記嵌合突起１２のうちの嵌合突起１２ａ・１２ｂのいずれかが、前記取付基台９上に突設されたストッパー１５に当接して停止し、前記各嵌合突起１２はすべて各係止突起７の下面に摺接して、前記携帯端末１が前記係止部材５に係止固定されるよう形成されている。なお、前記各係止突起７の下面に各嵌合突起１２の上面の半分程度が接触して停止すれば十分であるので、前記ストッパー１５は、前記係止突起７ａの下面中央の取付基台９上に突設されている。
【００１７】
一方、前記携帯端末１の背面部に固定された嵌合部材３の各嵌合突起１２を、前記とは逆方向へ回動させて、前記各嵌合突起１２のすべてを前記係止部材５の各凹部８内に位置せしめることにより、各嵌合突起１２の各係止突起７への摺接状態が解除され、携帯端末１を係止部材５から取外すことができるようになっている。すなわち、前記携帯端末１が前記係止部材５に係止固定されている状態から、該携帯端末１を逆方向へ回動させると、各嵌合突起１２の各係止突起７への摺接状態が解除されるが、その摺接状態が解除されることにより、前記各嵌合突起１２の各係止突起７への摺接状態に基づく摩擦抵抗がなくなり、前記携帯端末１の逆方向への回動がスムーズに行くため、運転者は前記各嵌合突起１２のすべてが前記係止部材５の各凹部８内に位置したことを、手の感覚で確認することができ、その後、係止部材５から携帯端末１を手前側へ引くことにより取外すことができる。
【００１８】
なお、図４〜図７においては、携帯端末１の嵌合部材３を右（時計回り）方向へ回動させて、嵌合突起１２ａがストッパー１５に当接して、各嵌合部材３を係止部材５に係止固定する状態が図示されている。一方、図示していないが、前記携帯端末１が係止部材５に係止固定された状態から、逆に左方向へ回動させて、前記係止部材５の各凹部８内に、前記嵌合部材３のすべての嵌合突起１２を位置せしめることにより（図５の状態とする）、係止部材５への係止状態を解除し、前記携帯端末１を手前側へ引いて係止部材５から取外すことができる。
【００１９】
そして、前記図４〜図７とは逆に、携帯端末１の嵌合部材３を左（反時計回り）方向へ回動させて、嵌合突起１２ｂをストッパー１５に当接させて、各嵌合部材３を係止部材５に係止固定することもできる。前記携帯端末１が係止部材５に係止固定された状態から、逆に右方向へ回動させて、前記係止部材５の各凹部８内に、前記嵌合部材３のすべての嵌合突起１２を位置せしめることにより（図５の状態とする）、係止部材５への係止状態を解除し、前記携帯端末１を手前側へ引いて係止部材５から取外すことができる。
【００２０】
前記構成より成る本発明装置の作用について説明する。運転者が携帯端末１を、自動車内の取付面４に取付けられた係止部材５に係止固定する場合、前記携帯端末１の背面部２に固着された嵌合部材３のキャップ１４を取外し、携帯端末１の嵌合部材３を前記係止部材５の上面に当接・押圧して、前記嵌合部材３の各嵌合部突起１２を前記係止部材５の各凹部８内に嵌挿する。然る後、運転者は、図４に示すように、携帯端末１を矢印の右方向へ回動させると、図６〜図７に示すように、嵌合突起１２ａがストッパー１５に当接して停止することにより、前記各嵌合突起１２はすべて前記各係止突起７の下面に摺接して、携帯端末１は前記係止部材５に係止固定される。これにより、係止部材５に係止固定された携帯端末１は、車体が振動しても落下することなく、強固に係止固定されると共に、係止固定したまま運転者は通話したり、種々の操作が可能である。
【００２１】
そして、前記一旦係止部材５に係止固定された携帯端末１を、該係止部材５から取外す場合は、運転者は、前記図６〜図７とは逆方向の左方向へ携帯端末１を回動させて、前記ストッパー１５への嵌合突起１２ａの当接状態を解除し、係止部材５の各凹部８内に前記嵌合部材３のすべての嵌合突起１２を位置せしめて、係止部材５への係止状態を解除し、前記携帯端末１を手前側へ引いて係止部材５から取外すことができる。
【符号の説明】
【００２２】
１  携帯端末
２  背面部
３  嵌合部材
４  取付面
５  係止部材
６  係止リング
７  係止突起
７ａ  係止突起
８  凹部
９  取付基台
１０  リング状空隙部
１１  嵌合リング
１２  嵌合突起
１２ａ・１２ｂ  嵌合突起
１３  凹部
１４  キャップ
１５  ストッパー
【図１】
0006510238.tif 000002
【図２】
0006510238.tif 000003
【図３】
0006510238.tif 000004
【図４】
0006510238.tif 000005
【図５】
0006510238.tif 000006
【図６】
0006510238.tif 000007
【図７】
0006510238.tif 000008